【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
被記録媒体に記録を行う記録ヘッドと、
前記記録ヘッドと対向し被記録媒体を支持する支持位置と、前記支持位置から退避した位置との間を変位する支持部と、
前記支持部と入れ替わりで前記記録ヘッドと対向する対向位置で前記記録ヘッドをメンテナンスするメンテナンス部と、
前記メンテナンス部を、前記対向位置と、前記対向位置から被記録媒体の搬送方向に退避した位置との間を移動させる移動機構と、を備え、
前記移動機構は、
前記メンテナンス部より鉛直方向下方の位置において前記搬送方向に移動する移動台と、
前記搬送方向に延びるガイド溝が設けられたガイド部材と、
前記ガイド溝によってガイドされる被ガイド部を有し、一方の側が前記移動台と回動可能に連結され、他方の側が前記メンテナンス部と回動可能に連結されたリンク部材と、を備え、
前記移動台の前記搬送方向の移動に伴って、前記メンテナンス部が、前記対向位置に近接しようするとき、または前記対向位置から離間しようとするとき、前記リンク部材が前記被ガイド部を支点として回動することによる、前記メンテナンス部の前記搬送方向における一方の方向の移動量は、前記被ガイド部の前記搬送方向における他方の方向の移動量と相殺されることを特徴とする記録装置。
【請求項２】
請求項１に記載の記録装置であって、
前記メンテナンス部は、前記移動台の前記搬送方向の移動に伴って前記搬送方向に移動し、
前記メンテナンス部の前記搬送方向における移動量は、前記相殺されることで、前記移動台の前記搬送方向における移動量よりも少ないことを特徴とする記録装置。
【請求項３】
請求項１または請求項２に記載の記録装置であって、
前記ガイド溝は、前記搬送方向に沿って直線状に延びる第１領域と、
前記第１領域と接続され、前記第１領域と斜めに交差する方向に延びる第２領域と、を有することを特徴とする記録装置。
【請求項４】
請求項３に記載の記録装置であって、
前記被ガイド部は、前記リンク部材と前記メンテナンス部の連結部と、前記リンク部材と前記移動台の連結部とを結ぶラインより前記支持部と反対側に外れた位置に設けられ、
前記第２領域は、前記交差する方向において前記記録ヘッドから遠ざかる方向に延びることを特徴とする記録装置。
【請求項５】
請求項１または請求項２に記載の記録装置であって、
前記メンテナンス部は、前記記録ヘッドを封止するキャップを備え、
前記移動機構は、前記キャップの水平姿勢を維持しながら、前記対向位置と、前記対向位置から退避した位置との間を移動させることを特徴とする記録装置。
【請求項６】
請求項５に記載の記録装置であって、
一方の側が前記移動台と回動可能に連結され、他方の側が前記メンテナンス部と回動可能に連結された補助リンク部材を備え、前記リンク部材と前記メンテナンス部の連結部と、前記リンク部材と前記移動台の連結部とを結ぶラインは、前記補助リンク部材と前記メンテナンス部の連結部と、前記補助リンク部材と前記移動台の連結部とを結ぶラインと平行であることを特徴とする記録装置。
【請求項７】
請求項１または請求項２に記載の記録装置であって、
前記支持部は、被記録媒体を支持する支持面を有し、前記支持面の方向を保ちつつ前記支持位置と前記支持する支持位置から退避した位置との間で変位することを特徴とする記録装置。
【請求項８】
請求項１または請求項２に記載の記録装置であって、
前記支持部には、前記搬送方向の上流または下流に揺動中心が設けられ、前記支持部は揺動することにより、前記記録ヘッドと対向し被記録媒体を支持する支持位置と、前記支持位置から退避した位置との間を変位し、
前記メンテナンス部は、前記搬送方向において、前記揺動中心が上流にある場合には、
前記記録ヘッドから下流側に退避し、前記揺動中心が下流にある場合には、前記記録ヘッドから上流側に退避し、前記搬送方向と交わる被記録媒体の幅方向において、前記ガイド部材は、前記支持部の揺動に必要な揺動領域の外側に設けられていることを特徴とする記録装置。
【請求項９】
請求項８に記載の記録装置であって、
前記支持部は、駆動源により回転駆動される第１の回転体と、
従動回転する第２の回転体と、
前記第１の回転体と前記第２の回転体とに掛けられ、被記録媒体を支持するとともに被記録媒体を搬送する搬送ベルトと、を備え、
前記支持部は、前記第１の回転体を揺動中心として揺動可能に備えられ、
前記支持部が揺動する際は、前記第１の回転体の回転駆動が継続されることを特徴とする記録装置。
【請求項１０】
請求項１から請求項９のいずれか一項に記載の記録装置であって、
被記録媒体を収容する媒体収容部を備え、
前記ガイド部材は、前記搬送方向において、前記媒体収容部における被記録媒体の載置領域内に配置されていることを特徴とする記録装置。
【請求項１１】
被記録媒体に記録を行う記録ヘッドと、
前記記録ヘッドと対向し被記録媒体を支持する支持位置と、前記支持位置から退避した位置との間を変位する支持部と、
前記支持部と入れ替わりで前記記録ヘッドと対向する対向位置で前記記録ヘッドをメンテナンスするメンテナンス部と、
前記メンテナンス部を、前記対向位置と、前記対向位置から被記録媒体の搬送方向に退避した位置との間を移動させる移動機構と、を備え、
前記移動機構は、前記メンテナンス部が、前記対向位置に近接しようするとき、または前記対向位置から離間しようとするとき、前記記録ヘッドのヘッド面と直交する方向に前記メンテナンス部を移動させることを特徴とする記録装置。
【請求項１２】
被記録媒体に記録を行う記録ヘッドと、
被記録媒体を支持する支持面を有し、前記記録ヘッドと対向し被記録媒体を支持する支持位置と、前記支持位置から退避した位置との間を変位する支持部と、
前記支持部と入れ替わりで前記記録ヘッドと対向する対向位置で前記記録ヘッドをメンテナンスするメンテナンス部と、
前記支持部及び前記メンテナンス部を移動させて、前記対向位置において、前記支持面の方向を保ちつつ前記支持部と前記メンテナンス部とを入れ替える移動機構と、を備え、
前記移動機構は、前記支持部を少なくとも前記対向位置から第１の方向に移動させ、前記メンテナンス部を少なくとも前記対向位置から前記第１の方向とは反対側の第２の方向に移動させることを特徴とする記録装置。
【請求項１３】
請求項１２に記載の記録装置であって、
前記移動機構は、前記支持部を前記対向位置から移動させる際に前記支持部を前記記録ヘッドから離れる方向に移動させてから前記第１の方向に移動させ、前記メンテナンス部を前記対向位置から移動させる際に前記メンテナンス部を前記記録ヘッドから離れる方向に移動させてから前記第２の方向に移動させることを特徴とする記録装置。
【請求項１４】
請求項１２に記載の記録装置であって、
前記移動機構は、前記支持部及び前記メンテナンス部の移動をガイドするガイド部材を備えることを特徴とする記録装置。
【請求項１５】
請求項１４に記載の記録装置であって、
前記ガイド部材として支持部用ガイド溝とメンテナンス部用ガイド溝とを有し、前記支持部用ガイド溝と前記メンテナンス部用ガイド溝とは、前記記録ヘッドから前記対向位置に向かう方向から見て重ならないよう配置されることを特徴とする記録装置。
【請求項１６】
請求項１２に記載の記録装置であって、
前記移動機構は、前記支持部を支持して移動する支持部台を有することを特徴とする記録装置。
【請求項１７】
請求項１２に記載の記録装置であって、
前記移動機構は、前記メンテナンス部を支持して移動するメンテナンス部台を有することを特徴とする記録装置。
【請求項１８】
請求項１２に記載の記録装置であって、
前記移動機構は、送りネジを有し、
前記支持部及び前記メンテナンス部の少なくとも一方は、前記送りネジに係合する軸受部を有することを特徴とする記録装置。